(57)【要約】【課題】  サービスの利用者の増加と、ビジネスチャンスの機会を得るようにする。【解決手段】  ネットワーク６００を介してホームページ書き込み装置４００に接続されるユーザＡ端末５０１、ユーザＢ端末５０２、ユーザＣ端末５０３、ユーザＤ端末５０４を使用するユーザのホームページのコンテンツである書き込みページに、テキスト文字以外の情報の表記が行われるようにし、会員及び非会員にとってはホームページに興味がもてるようになり、ホームページ作成サービス提供者にとってはユーザにとって興味をもってもらえるホームページを提供し続けるとともに、ネット上に大量に存在するホームページをユーザに知らしめてユーザ同士が互いのホームページを閲覧しあう機会を与えるようにする。【選択図】  図１
2005228273.tif 000002
【特許請求の範囲】
【請求項１】
ホームページのコンテンツである書き込みページを管理する機能を有したホームページ書き込み装置と、
ネットワークを介して前記ホームページ書き込み装置に接続され、前記ホームページの閲覧と前記書き込みページに対する書き込みとが可能なユーザ端末とを備え、
前記書き込みページは、テキスト文字に加え、テキスト文字以外の情報の表記が可能とされている
ことを特徴とするホームページ書き込みシステム。
【請求項２】
前記ホームページ書き込み装置は、
会員及び書き込みに関する基本情報が格納される基本情報データベースと、
ホームページを管理する機能を有したホームページ管理サーバとを備える
ことを特徴とする請求項１に記載のホームページ書き込みシステム。
【請求項３】
前記基本情報データベースには、
前記ホームページの作成サービスの会員となってユーザ毎に作成されたホームページと、
前記会員の属性情報と、
前記書き込みページに対する書き込み情報と、
前記書き込みに関するテキスト文字以外の情報に関連した関連情報とが格納される
ことを特徴とする請求項２に記載のホームページ書き込みシステム。
【請求項４】
前記書き込み情報は、ユーザ毎のホームページのコンテンツである書き込みページに書き込まれた少なくともテキスト文字及び絵文字であることを特徴とする請求項３に記載のホームページ書き込みシステム。
【請求項５】
前記ホームページ管理サーバは、
会員となったユーザの属性情報を前記基本情報データベースに登録する機能を有する会員登録部と、
ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
書き込みページに対する書き込み要求を受け付けて、前記書き込みページに書き込まれた書き込み情報を前記基本情報データベースに登録する機能を有する書き込み受付部と、
前記基本情報データベースに登録された書き込みページに対する書き込み情報を前記書き込みに関する基本情報を用いて表記する機能を有する書き込み情報表記部とを備える
ことを特徴とする請求項２〜４のいずれかに記載のホームページ書き込みシステム。
【請求項６】
前記ホームページ書き込み装置は、会員に対して個人のホームページの作成サービスを行う機能を有していることを特徴とする請求項１〜５のいずれかに記載のホームページ書き込みシステム。
【請求項７】
会員となったユーザの属性情報を基本情報データベースに登録する機能を有する会員登録部と、
ユーザ端末からの閲覧要求に応じて、要求のあったホームページを提供する機能を有するホームページ提供部と、
前記閲覧要求のあったユーザが会員であるか非会員であるかを監視する機能を有するホームページ閲覧監視部と、
書き込みページに対する書き込み要求を受け付けて、前記書き込みページに書き込まれた書き込み情報を前記基本情報データベースに登録する機能を有する書き込み受付部と、
前記基本情報データベースに登録された書き込みページに対する書き込み情報を書き込みに関する基本情報を用いて表記する機能を有する書き込み情報表記部とを備える
ことを特徴とするホームページ管理サーバ。
【請求項８】
ホームページのコンテンツである書き込みページを管理する工程と、
ネットワークを介して前記ホームページの閲覧と前記書き込みページに対する書き込みとが行われる工程とを有し、
前記書き込みページは、テキスト文字に加え、テキスト文字以外の情報の表記が可能とされている
ことを特徴とするホームページ書き込み方法。
【請求項９】
会員及び書き込みに関する基本情報が格納される工程と、
ホームページを管理する工程とを有する
ことを特徴とする請求項８に記載のホームページ書き込み方法。
【請求項１０】
前記基本情報として、
前記ホームページの作成サービスの会員となってユーザ毎に作成されたホームページと、前記会員の属性情報と、前記書き込みページに対する書き込み情報と、前記書き込みに関するテキスト文字以外の情報に関連した関連情報とが格納される工程を有する
ことを特徴とする請求項９に記載のホームページ書き込み方法。
【請求項１１】
前記書き込み情報は、ユーザ毎のホームページのコンテンツである書き込みページに書き込まれた少なくともテキスト文字及び絵文字であることを特徴とする請求項１０に記載のホームページ書き込み方法。
【請求項１２】
会員となったユーザの属性情報を基本情報データベースに登録する工程と、
ユーザ端末からの閲覧要求に応じて、要求のあったホームページを提供する工程と、
前記閲覧要求のあったユーザが会員であるか非会員であるかを監視する工程と、
書き込みページに対する書き込み要求を受け付けて、前記書き込みページに書き込まれた書き込み情報を前記基本情報データベースに登録する工程と、
前記基本情報データベースに登録された書き込みページに対する書き込み情報を前記書き込みに関する基本情報を用いて表記する工程とを有する
ことを特徴とする請求項９〜１１のいずれかに記載のホームページ書き込み方法。
【請求項１３】
会員に対して個人のホームページの作成サービスを行う工程を有していることを特徴とする請求項８〜１２のいずれかに記載のホームページ書き込み方法。
【請求項１４】
会員となったユーザの属性情報を基本情報データベースに登録する工程と、
ユーザ端末からの閲覧要求に応じて、要求のあったホームページを提供する工程と、
前記閲覧要求のあったユーザが会員であるか非会員であるかを監視する工程と、
書き込みページに対する書き込み要求を受け付けて、前記書き込みページに書き込まれた書き込み情報を前記基本情報データベースに登録する工程と、
前記基本情報データベースに登録された書き込みページに対する書き込み情報を書き込みに関する基本情報を用いて表記する工程とを有する
ことを特徴とするホームページ管理方法。
【発明の詳細な説明】
【技術分野】
【０００１】
本発明は、ホームページのコンテンツである日記や掲示板等の書き込みページに、テキスト文字に加え、テキスト文字以外の情報の表記を可能としたホームページ書き込みシステムに関するものである。
【背景技術】
【０００２】
近年、インターネットやイントラネット等のネットワークの進展により、そのネットワークを介した種々のサービスが提供されている。それらのサービスには、有償のものや無償のものがあるが、ネットワークの特徴を最もうまく利用したサービスと言え、様々な場面で広く利用されている。典型的なサービスとしては、情報提供者がネットワーク上のサーバにホームページと呼ばれるサイトを開設し、そこにアクセスしてきた任意の端末と対話を行うことにより、順に要求を絞り込み、適切な情報を提供するというものである。
【０００３】
ところで、ネットワークを介した種々の情報のやり取りを、任意のサーバや端末間で適切に行うために、これらの情報はＨＴＭＬという形式のデータで送受されている。しかし、このＨＴＭＬデータは、種々のデータと、データを特定するファイルと、制御コード等とが所定のルールに基づいて混在するデータであるため、これを理解して適切なＨＴＭＬデータを作成するのは非常に専門的な作業が強いられる。
【０００４】
すなわち、専門的な知識を有する熟練した作業者が行うようなレベルの仕事であり、通常のユーザがカスタマイズされたホームページのＨＴＭＬデータを作成するのは困難である。換言すれば、ネットワークを介して所望の情報を提供するホームページの作成は、専門的な知識を有する熟練した作業者にのみ可能であり、通常のソフトウェア技術者程度では、非常に難しい。
【０００５】
この場合、特許文献１に示されているように、サポート者が自分の募集に応じた被サポート会員に対して、既に設置されたサーバ上に被サポート会員のホームページを作成できるようにし、さらに作成されたホームページの管理を通じ、被サポート会員に対して技術支援を行うことで、専門的な知識を有しないユーザであってもホームページの作成が容易に行える。
【特許文献１】特開２００２−３４２４５５
【発明の開示】
【発明が解決しようとする課題】
【０００６】
このように、上述した特許文献１に示されたものは、専門的な知識を有しないユーザであってもホームページの作成が容易に行える。また、ホームページには、日記や掲示板等の書き込みページのような様々なコンテンツも容易に設けることができる。
【０００７】
ところで、たとえば日記は、ユーザが常日頃の思いを自由に書き込める書き込みページとなっている。その書き込みページには、テキスト文字を書き込めるようになっており、自由なレイアウトで表現することができる。また、日記には、画像等を貼り付けることが可能であり、画像等を用いることでさらに表現を膨らませることができる。
【０００８】
また、たとえば掲示板は、自分のホームページへの訪問者とのコミュニケーションを図ることができるいわゆる書き込みページとなっている。その書き込みページには、日記と同様に、テキスト文字を書き込めるようになっており、自分のホームページへの訪問者からの書き込みに対して返答することにより、見知らぬ者同士の会話が成立する。
【０００９】
ところが、日記や掲示板等の書き込みページに記載されるものがテキスト文字に限られているため、堅苦しい表記となることが多い。そのため、ユーザにとっては、ホームページが作成できたにも関わらず、日記や掲示板等の書き込みページに記載されるものがテキスト文字に限られると、視覚的な楽しさ等が軽減してしまい、ホームページに対する興味を損なう場合がある。
【００１０】
一方、ホームページ作成サービス提供者にとっては、サービスの利用者が増えることでビジネスチャンスが増えることになるが、それにはユーザにとって興味のもてるホームページを提供し続けることが課題であり、その課題を解消できるシステムの構築が望まれている。
【００１１】
解決しようとする問題点は、ユーザが容易に自分のホームページをもてても、ホームページのコンテンツである日記や掲示板等の書き込みページに記載されるものがテキスト文字に限られると、視覚的な楽しさ等が軽減してしまい、ホームページに対する興味を損なうことになり、一方、ホームページ作成サービス提供者にとっては、サービスの利用者にとって興味のもてるホームページを提供し続ける手段がないため、ビジネスチャンスの機会を失ってしまうという点である。
【課題を解決するための手段】
【００１２】
本発明のホームページ書き込みシステムは、ホームページのコンテンツである書き込みページを管理する機能を有したホームページ書き込み装置と、ネットワークを介して前記ホームページ書き込み装置に接続され、前記ホームページの閲覧と前記書き込みページに対する書き込みとが可能なユーザ端末とを備え、前記書き込みページは、テキスト文字に加え、テキスト文字以外の情報の表記が可能とされていることを特徴とする。
また、前記ホームページ書き込み装置は、会員及び書き込みに関する基本情報が格納される基本情報データベースと、ホームページを管理する機能を有したホームページ管理サーバとを備えるようにすることができる。
また、前記基本情報データベースには、前記ホームページの作成サービスの会員となってユーザ毎に作成されたホームページと、前記会員の属性情報と、前記書き込みページに対する書き込み情報と、前記書き込みに関するテキスト文字以外の情報に関連した関連情報とが格納されるようにすることができる。
また、前記書き込み情報は、ユーザ毎のホームページのコンテンツである書き込みページに書き込まれた少なくともテキスト文字及び絵文字であるようにすることができる。
また、前記ホームページ管理サーバは、会員となったユーザの属性情報を前記基本情報データベースに登録する機能を有する会員登録部と、ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、書き込みページに対する書き込み要求を受け付けて、前記書き込みページに書き込まれた書き込み情報を前記基本情報データベースに登録する機能を有する書き込み受付部と、前記基本情報データベースに登録された書き込みページに対する書き込み情報を前記書き込みに関する基本情報を用いて表記する機能を有する書き込み情報表記部とを備えるようにすることができる。
また、前記ホームページ書き込み装置は、会員に対して個人のホームページの作成サービスを行う機能を有しているようにすることができる。
本発明のホームページ管理サーバは、会員となったユーザの属性情報を基本情報データベースに登録する機能を有する会員登録部と、ユーザ端末からの閲覧要求に応じて、要求のあったホームページを提供する機能を有するホームページ提供部と、前記閲覧要求のあったユーザが会員であるか非会員であるかを監視する機能を有するホームページ閲覧監視部と、書き込みページに対する書き込み要求を受け付けて、前記書き込みページに書き込まれた書き込み情報を前記基本情報データベースに登録する機能を有する書き込み受付部と、前記基本情報データベースに登録された書き込みページに対する書き込み情報を書き込みに関する基本情報を用いて表記する機能を有する書き込み情報表記部とを備えることを特徴とする。
本発明のホームページ書き込み方法は、ホームページのコンテンツである書き込みページを管理する工程と、ネットワークを介して前記ホームページの閲覧と前記書き込みページに対する書き込みとが行われる工程とを有し、前記書き込みページは、テキスト文字に加え、テキスト文字以外の情報の表記が可能とされていることを特徴とする。
また、会員及び書き込みに関する基本情報が格納される工程と、ホームページを管理する工程とを有するようにすることができる。
また、前記基本情報として、前記ホームページの作成サービスの会員となってユーザ毎に作成されたホームページと、前記会員の属性情報と、前記書き込みページに対する書き込み情報と、前記書き込みに関するテキスト文字以外の情報に関連した関連情報とが格納される工程を有するようにすることができる。
また、前記書き込み情報は、ユーザ毎のホームページのコンテンツである書き込みページに書き込まれた少なくともテキスト文字及び絵文字であるようにすることができる。
また、会員となったユーザの属性情報を基本情報データベースに登録する工程と、ユーザ端末からの閲覧要求に応じて、要求のあったホームページを提供する工程と、前記閲覧要求のあったユーザが会員であるか非会員であるかを監視する工程と、書き込みページに対する書き込み要求を受け付けて、前記書き込みページに書き込まれた書き込み情報を前記基本情報データベースに登録する工程と、前記基本情報データベースに登録された書き込みページに対する書き込み情報を前記書き込みに関する基本情報を用いて表記する工程とを有するようにすることができる。
また、会員に対して個人のホームページの作成サービスを行う工程を有しているようにすることができる。
本発明のホームページ管理方法は、会員となったユーザの属性情報を基本情報データベースに登録する工程と、ユーザ端末からの閲覧要求に応じて、要求のあったホームページを提供する工程と、前記閲覧要求のあったユーザが会員であるか非会員であるかを監視する工程と、書き込みページに対する書き込み要求を受け付けて、前記書き込みページに書き込まれた書き込み情報を前記基本情報データベースに登録する工程と、前記基本情報データベースに登録された書き込みページに対する書き込み情報を書き込みに関する基本情報を用いて表記する工程とを有することを特徴とする。
本発明に係るホームページ書き込みシステムでは、ネットワークを介してホームページ書き込み装置に接続されるユーザ端末を使用するユーザのホームページのコンテンツである書き込みページに、テキスト文字以外の情報の表記が行われるようにすることができる。
【発明の効果】
【００１３】
本発明のホームページ書き込みシステムは、ネットワークを介してホームページ書き込み装置に接続されるユーザ端末を使用するユーザのホームページのコンテンツである書き込みページに、テキスト文字以外の情報の表記が行われるようにしたので、ユーザにとっては自分のホームページに興味がもてるようになり、ホームページ作成サービス提供者にとってはサービスの利用者の増加を見込めるため、ビジネスチャンスの機会を得ることができる。
【発明を実施するための最良の形態】
【００１４】
本発明のホームページ書き込みシステムは、ホームページのコンテンツである日記や掲示板等の書き込みページに、テキスト文字に加え、絵文字等によるテキスト文字以外の情報が表記されるようにした。
【００１５】
図１は、本発明のホームページ書き込みシステムの一実施の形態を示す図、図２は、図１のホームページ書き込み装置の詳細を示す図、図３〜図５は、図１のホームページ書き込みシステムによるホームページ書き込み方法を説明するための図である。
【００１６】
図１に示すホームページ書き込みシステムは、ホームページ書き込み装置４００、ユーザＡ端末５０１、ユーザＢ端末５０２、ユーザＣ端末５０３、ユーザＤ端末５０４を備えている。ホームページ書き込み装置４００と、ユーザＡ端末５０１、ユーザＢ端末５０２、ユーザＣ端末５０３及びユーザＤ端末５０４とは、ネットワーク６００を介して相互に通信できるようになっている。ネットワーク６００としては、インターネット、専用回線、無線回線、ＬＡＮ等を用いることができる。
【００１７】
ホームページ書き込み装置４００は、ホームページ作成サービス提供者が保有するものであり、会員に対して個人のホームページの作成サービスを行う機能と、ホームページのコンテンツである日記や掲示板等の書き込みページを管理する機能とを有しているものであって、基本情報データベース１００、ホームページ管理サーバ２００、ホームページ管理端末３００を備えている。
【００１８】
基本情報データベース１００には、図２に示すように、会員毎のホームページ１０１、会員属性情報１０２、書き込み情報１０３等の会員に関する基本情報と、後述の絵文字関連情報１０４とが格納される。
【００１９】
会員毎のホームページ１０１は、ホームページ作成サービス提供者が提供するサービスの利用者である会員となった場合に、ユーザ毎に作成されたホームページである。また、ユーザ毎に作成されたホームページには、アドバンストHTMLエディタ（オンラインのHTMLエディタ）、ファイルマネージャ（オンラインでのファイル操作）、ページディレクトリ（テーマ別で登録できるカテゴリ）、日記ツール、掲示板ツール、素材集、カウンタ等の各種ツールを設けることができる。ここで、コンテンツである日記や掲示板等の書き込みページには、テキスト文字に併せて少なくとも絵文字が表記されるがその詳細は後述する。
【００２０】
会員属性情報１０２は、会員となったユーザのユーザＩＤ、パスワード、住所、氏名、年齢、性別、趣味等の情報である。書き込み情報１０３は、会員毎のホームページ１０１のコンテンツである日記や掲示板等の書き込みページに書き込まれるテキスト文字、絵文字、色等を含んでいる。色は、テキスト文字を赤や青等に表示する色属性である。書き込みに関する基本情報であって、テキスト文字以外の情報に関連する関連情報である絵文字関連情報１０４は、絵文字とこの絵文字に対応するタグとの関連を示す情報であるが、その詳細は後述する。
【００２１】
ホームページ管理サーバ２００は、ホームページを管理する機能を有しているものであり、図２に示すように、会員登録部２０１、ホームページ提供部２０２、ホームページ閲覧監視部２０３、書き込み受付部２０４、書き込み情報表記部２０５を備えている。
【００２２】
会員登録部２０１は、ホームページ作成サービス提供者が提供するサービスの会員となった場合に、会員となったユーザのユーザＩＤ、パスワード、住所、氏名、年齢、性別、趣味等の情報である上述した会員属性情報１０２を、基本情報データベース１００に登録する機能を有している。なお、会員属性情報１０２は、ホームページ作成サービス提供者が提供するホームページの会員登録ページより受け付けることができる。
【００２３】
ホームページ提供部２０２は、ユーザＡ端末５０１、ユーザＢ端末５０２、ユーザＣ端末５０３、ユーザＤ端末５０４のいずれかからの閲覧要求に応じて、要求のあったホームページを提供する機能を有している。
【００２４】
ホームページ閲覧監視部２０３は、ユーザＡ端末５０１、ユーザＢ端末５０２、ユーザＣ端末５０３、ユーザＤ端末５０４のいずれかからの閲覧要求のあったユーザが会員であるか非会員であるかを監視する機能を有している。ここで、ホームページ閲覧監視部２０３は、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザを識別することができる。この場合、会員か非会員であるかの識別が行われる。
【００２５】
書き込み受付部２０４は、日記や掲示板等の書き込みページに対する書き込み要求を受け付けて、その書き込まれた内容を書き込み情報１０３として基本情報データベース１００に登録する機能を有している。
【００２６】
書き込み情報表記部２０５は、基本情報データベース１００に登録された日記や掲示板等の書き込みページに対する書き込み情報１０３を、上記の絵文字関連情報１０４を用いて表記する機能を有している。書き込み情報１０３の表記の詳細については後述する。
【００２７】
ユーザＡ端末５０１、ユーザＢ端末５０２、ユーザＣ端末５０３、ユーザＤ端末５０４は、ネットワーク６００を介してホームページ管理サーバ２００に対し、会員登録、書き込み情報１０３の追加変更、ホームページの閲覧要求等を行う機能を有している。また、ユーザＡ端末５０１、ユーザＢ端末５０２、ユーザＣ端末５０３、ユーザＤ端末５０４としては、ディスクトップパソコン、ノートパソコン、ＰＤＡ、携帯電話等を用いることができる。
【００２８】
次に、このような構成のホームページ書き込みシステムによるホームページ書き込み方法について説明する。なお、以下の説明においては、基本情報データベース１００に、会員毎のホームページ１０１、会員属性情報１０２等が既に格納されているものとする。また、以下においては、ユーザＡ端末５０１及びユーザＢ端末５０２のユーザが会員で、ユーザＣ端末５０３及びユーザＤ端末５０４のユーザが非会員であるものとする。
【００２９】
まず、図３に示すように、ホームページ作成サービス提供者が提供するサービスの会員となる場合、ホームページ作成サービス提供者が提供するホームページの図示しない会員登録ページに、ユーザのユーザＩＤ、パスワード、住所、氏名、年齢、性別、趣味等の情報である上述した会員属性情報１０２を入力すると（ステップＳ１）、会員登録部２０１により、その会員属性情報１０２が基本情報データベース１００に登録される（ステップＳ２）。
【００３０】
これにより、会員となったユーザは、ホームページ作成サービス提供者が提供するホームページを個人のホームページとしてもつことができる（ステップＳ３）。ここで、個人のホームページにはコンテンツである日記や掲示板等の書き込みページを示す項目が含まれている。
【００３１】
そして、ユーザＡ端末５０１、ユーザＢ端末５０２、ユーザＣ端末５０３、ユーザＤ端末５０４のいずれかからホームページの閲覧要求があると（ステップＳ４）、ホームページ提供部２０２により、要求のあったホームページが要求のあったユーザＡ端末５０１、ユーザＢ端末５０２、ユーザＣ端末５０３、ユーザＤ端末５０４のいずれかに提供される（ステップＳ５）。
【００３２】
ここで、ホームページ閲覧監視部２０３により、閲覧要求のあったユーザのユーザＡ端末５０１、ユーザＢ端末５０２、ユーザＣ端末５０３、ユーザＤ端末５０４のいずれかから得られる識別情報としてのクッキーを用いて、ユーザが識別される（ステップＳ６）。そして、閲覧要求のあったユーザが会員であると識別されると（ステップＳ７）、ユーザ個人のホームページが提供される（ステップＳ８）。
【００３３】
ここで、たとえばユーザ個人のホームページからたとえば日記に対する書き込み要求があると（ステップＳ９）、その書き込み要求が書き込み受付部２０４によって受け付けられる。この場合、会員となったユーザは、自分のホームページのたとえば日記の項目をクリックすればよい。これにより、たとえば図４に示すような日記の書き込みページの画面が表示される。
【００３４】
ここで、図４の書き込みページは、たとえば日付け、天気、気分、タイトルを選択入力する選択入力欄１０４ａ、レイアウトを選択するレイアウト選択欄１０５、本文を入力する本文書き込み欄１０６、テキスト文字の色等を指定する色等指定欄１０７、絵文字を指定する絵文字指定欄１０８を有している。なお、色等指定欄１０７には、〒等の特殊文字を設けることができる。
【００３５】
また、日付け、天気、気分、タイトルを選択入力する選択入力欄１０４ａは、あくまでも一例であり、たとえばタイトルのみを入力する欄としてもよいし、自分のニックネームのみを入力する欄としてもよい。また、選択入力欄１０４ａは、日付け、天気、気分、タイトルの全てを入力する必要はなく、たとえばタイトルのみを入力するようにしてもよい。
【００３６】
そして、ユーザは、選択入力欄１０４ａに日付け、天気、気分、タイトルを選択入力し、レイアウト選択欄１０５からレイアウトを選択した後、本文書き込み欄１０６に任意の内容を記載することができる。ここで、図４では、本文がたとえば
「最近は＜太陽＞の日が続いているけど、明日からしばらく＜雨＞になるそうです＜落ち込み＞。ずっといい＜赤＞天気＜／赤＞だといいですね。」
となっている。
【００３７】
ここでの＜太陽＞、＜雨＞、＜落ち込み＞は、絵文字指定欄１０８の絵文字に対応するタグであり、本文中には＜＞付きの文字として表記される。また、＜赤＞＜／赤＞は、色等指定欄１０７の赤に対応するタグである。また、ここでの絵文字指定欄１０８の絵文字と、その絵文字に対応するたとえば＜太陽＞、＜雨＞、＜落ち込み＞等を示すタグとは、ホームページ作成サービス提供者が予め作成しておいて、上記の基本情報データベース１００に絵文字関連情報１０４として格納されているものである。
【００３８】
ユーザは、テキスト文字を入力するとともに、絵文字指定欄１０８のいずれかの絵文字をクリックすることで、テキスト文字中に絵文字に対応するタグが表記される。また、いずれかのテキスト文字をいずれかの色で表記したい場合には、色等指定欄１０７内のいずれかの色をクリックする。ここで、たとえば赤をクリックすると、本文中に＜赤＞＜／赤＞のタグが表記されるため、＜赤＞と＜／赤＞との間に入力したテキスト文字が赤で表記される。
【００３９】
本文書き込み欄１０６への入力が済んだ後、「書き込む」をクリックすると、書き込み受付部２０４により、その書き込まれた内容が書き込み情報１０３として基本情報データベース１００に登録される（ステップＳ１０）。
【００４０】
そして、ユーザＡ端末５０１、ユーザＢ端末５０２、ユーザＣ端末５０３、ユーザＤ端末５０４のいずれかからホームページの閲覧要求があり、さらにたとえば日記の閲覧要求があると、たとえば図５に示すように、書き込み情報表記部２０５によって絵文字が表記された日記が表示される（ステップＳ１１）。
【００４１】
ここで、符号１０４ｂは、図４の選択入力欄１０４ａに相当するものであり、たとえば天気、気分が絵文字で表記される。また、符号１０６ａは、図４の本文書き込み欄１０６に相当するものであり、たとえば＜太陽＞、＜雨＞、＜落ち込み＞がそれぞれ絵文字で表記される。ここでの絵文字は、書き込み情報表記部２０５により、上記の基本情報データベース１００に格納されている絵文字関連情報１０４用いて表記されたものである。
【００４２】
このようにして、会員のホームページのコンテンツである日記や掲示板等の書き込みページには、絵文字が表記されることで、視覚的な楽しさ等が増大し、自分のホームページがより多くの人に閲覧してもらう機会が増えていくようになり、会員同士の輪が広がっていく。
【００４３】
また、掲示板にあっては、掲示板の画面に上述したテキスト文字の色等を指定する色等指定欄１０７、絵文字を指定する絵文字指定欄１０８等を設けておき、他の会員や非会員のユーザが上記同様にして絵文字等を選択できるようにすることができる。
【００４４】
なお、非会員のユーザＣ端末５０３及びユーザＤ端末５０４のいずれかから会員のホームページのコンテンツである掲示板等の書き込みページにアクセスがあった場合、非会員のユーザＣ端末５０３及びユーザＤ端末５０４には、図４に示した書き込みページの画面が表示されるようにすることも可能である。
【００４５】
この場合、非会員であってもテキスト文字を入力するとともに、絵文字指定欄１０８のいずれかの絵文字をクリックすることで、上記同様に、テキスト文字中に絵文字が簡単に表記されるため、視覚的な楽しさ等が増大し、ホームページ作成サービス提供者が提供するホームページへのアクセスが増える。
【００４６】
このように、他の会員や非会員が書き込みページに絵文字を用いた書き込みを行うことで、視覚的な楽しさ等が増大し、会員のユーザと非会員のユーザとの輪が広がっていく。またこのように、会員同士の輪や会員と非会員同士との輪が広がってゆくことにより、ホームページ作成サービス提供者にとっては会員のさらなる増加を見込むことができる。
【００４７】
このように、本実施形態では、ネットワーク６００を介してホームページ書き込み装置４００に接続されるユーザＡ端末５０１、ユーザＢ端末５０２、ユーザＣ端末５０３、ユーザＤ端末５０４を使用するユーザのホームページのコンテンツである書き込みページに、テキスト文字以外の情報の表記が行われるようにしたので、会員となったユーザにとっては自分のホームページに興味がもてるようになり、ホームページ作成サービス提供者にとってはサービスの利用者の増加を見込めるため、ビジネスチャンスの機会を得ることができる。
【００４８】
具体的には、会員のホームページのコンテンツである日記や掲示板等の書き込みページに、少なくとも絵文字が表記されることで、視覚的な楽しさ等が増大し、自分のホームページがより多くの人に閲覧してもらう機会が増えていくようになる。また、自分のホームページがより多くの人に閲覧してもらう機会が増えていくようになることで、自分のホームページに対する興味が増えることになる。
【００４９】
また、非会員であってもいずれかの会員のホームページのコンテンツである掲示板等の書き込みページにアクセスすることで、テキスト文字中に絵文字が表記されるため、視覚的な楽しさ等が増大し、ホームページ作成サービス提供者が提供するホームページへのアクセスが増えることになる。
【００５０】
一方、ホームページ作成サービス提供者にとっては、ユーザにとって興味をもってもらえるホームページを提供し続けることができ、さらにネット上に大量に存在するホームページをユーザに知らしめてユーザ同士が互いのホームページを閲覧しあう機会を与えることで、サービスの利用者の増加を見込めるため、広告収入等を目的としたビジネスチャンスの機会が得られることになる。
【００５１】
なお、本実施形態では、テキスト文字中に絵文字が表記される場合について説明したが、これに限らず動画が表記されるようにしてもよい。また、絵文字や動画に擬音や音声等のリンクを張り、その絵文字や動画がクリックされると、擬音や音声等が発せられるようにしてもよい。
【００５２】
また、サッカー、野球、サーフィン等の趣味を示す絵文字を用意し、その趣味を示す絵文字に、その絵文字を使用したユーザの一覧ページへジャンプするリンクを張るようにすることも可能である。この場合、同じ趣味や気持ちを持ったユーザの検索が容易となり、さらにユーザ同士の交流を増大させることができる。
【００５３】
また、本実施形態では、ホームページ作成サービス提供者のサービスを受けるユーザを会員とした場合について説明したが、この例に限らず、ホームページ作成サービス提供者のサービスを受けるユーザは非会員であってもよい。
【産業上の利用可能性】
【００５４】
企業が自社の製品をホームページを用いてアピールする場合等においても適用できる。
【図面の簡単な説明】
【００５５】
【図１】本発明のホームページ書き込みシステムの一実施の形態を示す図である。
【図２】図１のホームページ書き込み装置の詳細を示す図である。
【図３】図１のホームページ書き込みシステムによるホームページ書き込み方法を説明するためのフローチャートである。
【図４】図１のホームページ書き込みシステムによるホームページ書き込み方法を説明するための図である。
【図５】図１のホームページ書き込みシステムによるホームページ書き込み方法を説明するための図である。
【符号の説明】
【００５６】
１００  基本情報データベース
１０１  会員毎のホームページ
１０２  会員属性情報
１０３  書き込み情報
１０４  絵文字関連情報
２００  ホームページ管理サーバ
２０１  会員登録部
２０２  ホームページ提供部
２０３  ホームページ閲覧監視部
２０４  書き込み受付部
２０５  書き込み情報表記部
３００  ホームページ管理端末
４００  ホームページ書き込み装置
５０１  ユーザＡ端末
５０２  ユーザＢ端末
５０３  ユーザＣ端末
５０４  ユーザＤ端末
６００  ネットワーク
【図１】
2005228273.tif 000003
【図２】
2005228273.tif 000004
【図３】
2005228273.tif 000005
【図４】
2005228273.tif 000006
【図５】
2005228273.tif 000007